Podtech/llm-jp-corpus-v4-ja_patent huggingface dataset:
(57)【要約】【課題】  入力作業の際キーボードを必要に応じてゲームパッドに装着でき、ゲームパッド上を自由に移動させることにより、入力作業の際の操作性を向上させる。【解決手段】  ゲームパッド本体１の前面にスライドレール３を装着し、更にこのスライドレール３へキーボード本体２の背面にあるスライド部４を接続する。これによりキーボード本体２はゲームパッド本体１の前面部に装着されたスライドレール３上を自由に移動する事ができる。【選択図】図５
2010057868.tif 000002
【特許請求の範囲】
【請求項１】
ゲームパッド本体１にキーボード本体２用のスライドレール３を備え、このスライドレール３とキーボード本体２のスライド部４と接続し、このスライドレール３上をスライド部４が自由に移動する事で入力状態に応じて上段中段下段など自由にキーボード本体２の位置を変更できるようにしたゲームパッド用キーボード
【発明の詳細な説明】
【技術分野】
【０００１】本発明品は電子ゲーム機のゲームパッドに関するものであり、キーボード部分を装着し、スライドさせる事で状況に応じてキーボード位置を変え操作性を向上させたものである。
【背景技術】
【０００２】昨今の電子ゲーム機はインターネットに接続してのゲームプレイや、音楽、動画再生機能を有するものが多くなり、言語を入力する機会が増えつつある。その際従来式のゲームパッドで入力するとボタン数が足りなく不便であり、キーボードによる入力が必要不可欠となっている。この例として特許文献１や特許文献２に開示されてるものがある。【０００３】特開２００４−３２９５３４は前記把持部を把持した際に前方となる隣接位置に、キーボードが配設されている。【０００４】特開２００４−２０１７２８は必要に応じてゲームパッドを２つに分離しキーボードを真ん中に接続でき使用できるようにしたものである。
【特許文献１】特開２００４−３２９５３４号広報
【特許文献２】特開２００４−２０１７２８号広報
【発明の開示】
【発明が解決しようとする課題】
【０００５】入力作業の際キーボードを必要に応じてゲームパッドに装着でき、ゲームパッド上を自由に移動させることにより、入力作業の際の操作性を向上させる。
【課題を解決する為の手段】
【０００６】ゲームパッド本体１の前面にスライドレール３を装着し、更にこのスライドレール３とキーボード本体２の背面にあるスライド部４を接続する。これによりキーボード本体２はゲームパッド本体１の前面部に装着されたスライドレール３上を自由に移動する事ができる。
【発明の効果】
【０００７】キーボード本体２はゲームパッド本体１の前面上を自由に移動できるようになり、例えば入力作業が多い場合はゲームパッド本体１の中段に移動し入力がよりしやすくなる（図３参照）。また上段に移動するとゲームをする際の方向キー６、ボタン７等を操作する場合に邪魔になりにくくなり（図２参照）、一定時間入力作業をしない場合はゲームパッド本体２の上部あるいは下部に移動させゲームパッド本体２の前面をすっきりさせる事ができる（図１、図４参照）。
【発明を実地する為の最良の形態】
【０００８】ゲームパッド本体１の前面部に着脱可能なスライドレール３を装着し、さらにそのスライドレール３へキーボード本体２のスライド部４を接続する。キーボード本体２はこのスライドレール３上を自由に移動できるので、入力作業の状況に応じて上段中段下段へと自由に移動させる事で入力作業を軽減させる事ができる。
【図面の簡単な説明】
【０００９】
【図１】ゲームパッド本体１にキーボード本体２を装着した状態を示した正面図である。
【図２】ゲームパッド本体１にキーボード本体２を装着し、上段に移動した状態を示した平面図である。
【図３】ゲームパッド本体１にキーボード本体２を装着し、中段に移動した状態を示した平面図である。
【図４】ゲームパッド本体１にキーボード本体２を装着し、下段に移動した状態を示した背面図である。
【図５】ゲームパッド本体１にキーボード本体２を装着した状態を示した背面図である。
【図６】ゲームパッド本体１にキーボード本体２を装着した状態を示した側面図である。
【符号の説明】
【００１０】１ゲームパッド本体
２キーボード本体
３スライドレール
４スライド部
５方向キー
６ボタン
７スタートセレクトボタン
【図１】
2010057868.tif 000003
【図２】
2010057868.tif 000004
【図３】
2010057868.tif 000005
【図４】
2010057868.tif 000006
【図５】
2010057868.tif 000007
【図６】
2010057868.tif 000008
(57)【要約】【課題】従来の技法で同様の物を作ろうとした場合、各部品は釘で留められ、可動部は蝶番、及びそれを留めるネジを使用するが、蝶番ではジョイント部に負担が掛かり、また蝶番を留めるネジは押さえる方向以外に力が加わりネジが緩みやすい。【解決手段】一切の金具を使用せず、各部品の接合部はほぞ穴の向き等を工夫した。【選択図】図１
2010057867.tif 000002
【特許請求の範囲】
【請求項１】
釘、ネジ等を一切使用しない事を特徴とする折畳壁掛台。
【請求項２】
各部品の緩みを使用の都度修正することを特徴とする請求項１記載の折畳壁掛台。
【発明の詳細な説明】
【技術分野】
【０００１】  この発明は、折畳壁掛台に関する。
【背景技術】
【０００２】  従来の技法で同様の物を作ろうとした場合、図５の様に蝶番、釘、ネジ等を使用するであろう。
【発明の開示】
【発明が解決しようとする課題】
【０００３】しかしながら、以上の技術によれば、金具のジョイント部に負担が掛かり、又、金具の留めネジがその押え付ける方向以外の方向へ力が加わり緩みやすい。
そこで、この発明は、蝶番等の金具を使用せずに可動する折畳壁掛台を提供すること
を課題とする。
【課題を解決するための手段】
【０００４】  以上の課題を解決するために、第一発明は、釘、ネジ等を使用しないことを特徴とする折畳壁掛台である。
また、第二発明は、各部品が緩んでも本製品を使用する度に緩みを修正することを特徴とする折畳壁掛台である。
【発明の効果】
【０００５】  第一発明、または第二発明によれば、折畳壁掛台を構成する各部品は金具等で留めておらず又、図４の様にほぞ穴の方向等を工夫したので、可動部に負担が掛からず各部品の緩みも使用の都度修正される。
具体的動きとして、図１の状態から図２の様に天板２を広げる際ガイドバー４に沿って上へスライドし天板２の上部を前方へ引く形態をとる、すると天板２が図１０の様に回転し天板２が広げられる状態になる。天板２を広げる際に足３が伸び、本体に設けられた窪みに引っ掛かるのである。
天板２を広げる際に一旦上部へスライドさせる構造をとる事により天板２を畳んだ状態で勝手に天板２が開かなくて済む。更に、図１３の構造により各部品の緩みが使用の都度修正される仕組みである。
【発明を実施するための最良の形態】
【０００６】  この発明の一実施形態を、図１に示す。
折畳壁掛台本体全ては木製である。【０００７】「実施形態の効果」
この実施形態によれば、各部品を接合する部位に負担が掛からず又、各部品の緩みも使用の都度修正される。【０００８】「他の実施形態」
図１の実施形態では、足の中へ可動部品を通しているが、他の実施形態では、足の外側へ付けたものでも良い。
又、天板が小型のものであれば足は無くても良い。
【図面の簡単な説明】
【０００９】
【図１】この発明の一実施形態を示す斜視図である。（天板畳み時）
【図２】この発明の一実施形態を示す斜視図である。（天板広げ時）
【図３】この発明の一実施形態を示す前面図である。
【図４】この発明の一実施形態を示す横面図である。
【図５】従来技術を示す横面図である。
【図６】天板前面図である。
【図７】天板横面図である。
【図８】ガイドバー斜視図である。
【図９】本体とガイドバー横面部分図である。
【図１０】本体とガイドバーと天板を広げた図の部分図である。
【図１１】天板と足横面部分図である。
【図１２】天板を広げた際の足横面部分図である。
【図１３】この発明の一実施形態の上部部分部である。
【符号の説明】
【００１０】１  折畳壁掛台本体            ２  天板
３  足                        ４  ガイドバー
５  ほぞ                      ６  蝶番及び留めネジ
【図１】
2010057867.tif 000003
【図２】
2010057867.tif 000004
【図３】
2010057867.tif 000005
【図４】
2010057867.tif 000006
【図５】
2010057867.tif 000007
【図６】
2010057867.tif 000008
【図７】
2010057867.tif 000009
【図８】
2010057867.tif 000010
【図９】
2010057867.tif 000011
【図１０】
2010057867.tif 000012
【図１１】
2010057867.tif 000013
【図１２】
2010057867.tif 000014
【図１３】
2010057867.tif 000015
(57)【要約】      （修正有）【課題】食器や鍋等を洗う時に、スポンジを持つという動作と、洗うという同時に二つの動作をしていたのを洗うという一つの動作だけで済むようにする。【解決手段】ミトンの手のひら側３に、薄く不織クロスを縫いこむ事によって、これを手にはめると、手は持つという動作をしなくてよく、指先で細かい所を洗い、また手のひらで大皿等の大きな部分を洗えるようにする。【選択図】図１
2010057698.tif 000002
【特許請求の範囲】
【請求項１】
食器洗い不織クロスがナイロン地のミトンの中に、うすく縫い込まれているので、手そのものの感覚で食器等を手早く洗う事が出来る。
【発明の詳細な説明】
【技術分野】
【０００１】
本発明は、ミトン型の食器洗いスポンジで、手そのものの感覚で食器等を洗う事が出来る。
【背景技術】
【０００２】
ミトンの中に、うすく不織クロスが縫い込まれているので、手は持つと言う動作をしなくてよく、自分の手そのものの感覚で洗いやすい。指先で細かい所を爪を生かして洗い、また手のひらで大皿等の大きな部分を撫でるようにして、手早く洗う事が出来る。
【発明の開示】
【発明が解決しようとする課題】
【０００３】
手でスポンジを持ちながら、食器等を洗うという二つの動作を同時にしていたのが、ミトン型のスポンジを手にはめていると、洗うという一つの動作だけで良い。
【課題を解決するための手段】
【０００４】
ミトンの中に、うすく不織クロスを縫いこむ事で、ミトン型スポンジを手にはめると、手と一体化して、手は洗うという動作だけで良い。
【発明の効果】
【０００５】
ミトン型食器洗いスポンジを手にはめる事で、手そのものの感覚で食器等を、洗うという一つの動作だけで手早く洗う事が出来る。
【図面の簡単な説明】
【０００６】
【図１】本発明の平面図
【図２】本発明の断面図
【符号の説明】
【０００７】
（1）ミトン型スポンジ、（2）ひっかけ紐、（3）手のひら側、（4）不織クロス、（5）手の甲側
【図１】
2010057698.tif 000003
【図２】
2010057698.tif 000004
(57)【要約】【課題】  接着剤に含まれる溶媒や水などの重合阻害物質残留による光重合樹脂の重合性低下、及び接着操作における操作手順の煩雑性を回避する。【解決手段】  本発明の光照射器１０は、光照射器本体に加熱気体噴射機能を備え、光照射口１２の近傍に配置した気体噴射口１３から加熱気体を噴射する。本発明では、光照射器に加熱気体噴射機能を付与して、溶媒や水などの重合阻害物質を効果的に蒸散できるようにした。これにより、光重合樹脂の重合性を向上させることが可能となる。また、光照射器が気体噴射機能を有するので、接着操作においてエアーシリンジを必要とせず、本装置のみで接着剤の乾燥、接着剤及び充填材への光照射までを連続して行うことができる。【選択図】  図１
2010057620.tif 000002
【特許請求の範囲】
【請求項１】
光照射器本体に、気体加熱装置を備えた光照射器であって、光照射口近傍に配置された気体噴射口から加熱した気体を噴射できることを特徴とする歯科用光照射器。
【発明の詳細な説明】
【技術分野】
【０００１】
本発明は歯科の治療において、歯に充填した光重合樹脂を重合硬化させるための光照射器と、加熱気体噴射機能とを具備した歯科用光照射器に関する。
【背景技術】
【０００２】
従来、歯科治療においては、歯の修復材（例えば、虫歯により除去された歯質欠損部への充填材など）として、光重合樹脂（カンファーキノンなどの光触媒に励起を受ける、Bis-GMA,UDMAなどの多官能性樹脂）が用いられている（例えば、非特許文献１参照）。この光重合樹脂は、充填材だけでなく充填材を接着させる接着剤にも含まれており、これらを重合硬化させるため、それぞれに光照射器による光照射が行われる（例えば、特許文献１参照）。
【０００３】
また、接着剤には、光照射に先立ってエアーシリンジによる乾燥（溶媒や水を蒸散するため）が行われ、その後、光照射器による光照射が行われる。この接着剤への乾燥と光照射を、それぞれのヘッドの選択的交換により行うものがある（例えば、特許文献２参照）。
【特許文献１】特開２００６−２２３６８８
【特許文献２】特開２００７−３３０６９
【非特許文献１】「標準保存修復学」，医学書院，１９９１年，Ｐ.１５８〜１６１
【発明の開示】
【発明が解決しようとする課題】
【０００４】
上記した、従来の接着剤の乾燥において、使用される気体は温度管理されておらず、主に室温の気体が用いられている。この室温の気体では、接着剤に含まれる溶媒や水を効率的に蒸散することがでず、接着剤中に残留する可能性が指摘されている（例えば、非特許文献２）。そのため、溶媒や水が接着剤中に残留すると、光重合樹脂の重合性が阻害され、強度の低下、加水分解などが生じやすくなり、接着強さの低下あるいは接着耐久性の低下という問題が生ずる（例えば、非特許文献３）。
【０００５】
また、光照射器の接着操作の手順を考えると、エアーシリンジと光照射器という２種の異なる装置を用いまたはヘッド交換を行う場合には、それぞれを所定部に配置させて操作させなければならないという煩雑性をも有している。
【０００６】
本発明は、上記した問題点に鑑み、接着剤中の溶媒や水を効率よく蒸散させて接着性を向上させ、かつ接着操作手順の煩雑性も解消することができる歯科用光照射器を提供することにある。
【非特許文献２】「１ステップシステム その現状と課題」，Quintessence vol.２３，２００４年，Ｐ.２３０７〜２３１１
【非特許文献３】「せん断接着試験による新規支台築造用コンポジットレジンの検討」，接着歯学 vol.２５，２００７年，Ｐ.２０４〜２１０
【課題を解決するための手段】
【０００７】
本発明に係る光照射器は、光照射器本体に気体加熱装置を備えた歯科用光照射器であって、光照射口近傍の気体噴射口より加熱した気体を噴射することを特徴とする。
【発明の効果】
【０００８】
本発明に係る歯科用加熱気体噴射機能付光照射器によれば、接着剤の乾燥において、加熱した気体を接着剤に噴射して重合阻害物質である溶媒や水を効率よく蒸散することができるから、接着剤に含まれる光重合樹脂の重合性を向上させ、接着強さあるいは接着耐久性を向上させることができる。これにより、歯の修復治療後の不快事項（充填物の脱落・破折など）を予防することができる。
【０００９】
また、エアーシリンジと光照射器による接着操作において、接着剤の乾燥にエアーシリンジを必要とせず、本発明の光照射器のみで乾燥、光照射までを連続して実施できるから、光照射器の操作手順の煩雑性が解消され、操作が滞ることなく歯の修復治療を行うことができる。
【発明を実施するための最良の形態】
【００１０】
以下、本発明の歯科用加熱気体噴射機能付光照射器（以下、“歯科用光照射器”という）の実施例を添付した図１及び図２に基づいて説明する。
【００１１】
図１は、本発明の歯科用光照射器１０の要部の正面図を、また図２は、本発明の歯科用光照射器１０の使用状態を示す概略図である。
【００１２】
図１に示すように、本発明の歯科用光照射器１０は、把持部（本体部）１４と、この把持部１４の先端に固着されたヘッド部１０ａと、把持部１４内部に配置した気体加熱装置１０ｂと、把持部１４の後端に接続されたインスツルメントホース１５とからなり、ヘッド部１０ａに接続された流体管１６ａ，１６ｂ及び電気ケーブル（図示なし）が、この把持部１４内部に収納され、流体管１６ａ，１６ｂは小型セラミックヒーターからなる気体加熱装置１０ｂに接続し、把持部１４の後端から導出した流体管１６ａ及び電気ケーブルは、インスツルメントホース１５に収納され、主電源及び流体源に接続されている。
【００１３】
さらに、把持部１４の先端に固着されたヘッド部１０ａには、図１に示すように、その中心に青色ＬＥＤ（波長４７５ｎｍ）からなる光源１１とガラス板を張った光照射口１２とが設けられ、かつ、ヘッド部１０ａ先端の光照射口１２の外縁には加熱気体を噴射する気体噴射口１４が１カ所形成されている。
【００１４】
本発明の歯科用光照射器１０を使用する際には、まず、図２にその概略を示すように、指先でその把持部１４を把持し、フットコントローラー（図示なし）でスイッチ（図示なし）をオン・オフして、１カ所設けた気体噴射口１４より0.2MPa程度の圧力で接着剤に気体温度３７〜４０℃で加熱気体噴射を行う。次いで光照射用の光源１１より接着剤及び充填材に光照射を行い、光重合樹脂の重合硬化を行う。
【００１５】
これにより、歯の修復治療が、効率良く行われる。
【図面の簡単な説明】
【００１６】
【図１】本発明の歯科用気体噴射機能付光照射器の概略正面図である。
【図２】本発明の歯科用気体噴射機能付光照射器の使用状態を示す概略図である。
【符号の説明】
【００１７】
１０…歯科用光照射器、１０ａ…ヘッド部、１０ｂ…気体加熱装置（セラミックヒーター）、１１…光源、１２…光照射口、１３…気体噴射口、１４…把持部、１５…インスツルメントホース、１６ａ，１６ｂ…流体管。
【図１】
2010057620.tif 000003
【図２】
2010057620.tif 000004
(57)【要約】【課題】  本発明は、ＦＭトランスミッターに音質調整機能を設けさせる事により、デジタルオーディオ等から出力された音楽をＦＭ波に変換される時に劣化する音質を、ＦＭラジオが内蔵された（或いは接続された）オーディオ装置にて調整するのではなく、本機のみで音質調整を行い、本機のみで高音質な音楽を楽しむ事を目的とする。【解決手段】  本発明による音質調整機能付きＦＭトランスミッターは、音声増幅部に音質調整機能部を設け、又テジタルオーディオプレイヤー（４）・音楽携帯（５）等の音楽出力端子に接続される為の入力プラグを設け、音質調整機能により劣化した音質を補正する構成である。【選択図】図１
2010057151.tif 000002
【特許請求の範囲】
【請求項１】
ＦＭ波への変換機能を有したＦＭトランスミッター部（１）に接続された入力プラグ（２）、入力された音楽等を前記ＦＭトランスミター部（１）がＦＭラジオを介してオーディオ装置にて再生するようにしたＦＭトランスミター部（１）において、前記ＦＭトランスミター部（１）の音声増幅部に音質調整器（３）を設けたことを特徴とする音質調整機能付きＦＭトランスミター。
【請求項２】
前記音質調整器（３）は２段階以上の音質切換機能を有する事を特徴とする請求項１記載の音質調整機能付きＦＭトランスミッター。
【発明の詳細な説明】
【技術分野】
【０００１】  本発明は、音質調整機能付きＦＭトランスミッターに関し、特に音質調整器を設けることにより、車載及び家庭用オーディオ装置のＦＭラジオから再生することによる音質低下に対する音質調整を自在に行って良質な音の再生を行う為の新規改良に関する。
【背景の技術】
【０００２】  従来、用いられていたこの種のＦＭトランスミッターとしては、図１に示されるように前記入力プラグ（２）をデジタルオーディオプレイヤー（４）・音楽携帯（５）・ポータブルプレイヤー等音声出力端子を有する機器（６）等の音声出力端子（７）と接続する。デジタルオーディオプレイヤー（４）・音楽携帯（５）・ポータブルプレイヤー等音声出力端子を有する機器（６）等を作動させると再生音声は、出力端子（７）、入力端子（２）を通してＦＭトランスミッター（１）に内蔵されたの電子回路により、ＦＭ電波に変換され、車載及び家庭用オーディオ装置のＦＭラジオを通して音楽等を再生される。
【発明の開示】
【発明が解決しようとしている課題】
【０００３】従来の、ＦＭトランスミッターは以上のように構成されていたために、次のような課題が存在していた。
すなわち、デジタルオーディオプレイヤー（４）等の音楽をＦＭトランスミッター部がＦＭ波に変換してオーディオ装置におけるＦＭラジオからの再生する為に、変換時に音質が劣化してしまった。
又、音質の劣化を補う為に、ＦＭラジオ付きオーディオ装置（８）の音質調整機能（図示せず）を使用すれば可能であるが、一般的なオーディオ装置はＦＭラジオの再生以外に、ＣＤ・ＭＤ・ＤＶＤ・ＴＶ等の音楽（音声）を再生する為にデジタルオーディオプレイヤー（４）等の音楽をＦＭラジオを再生時の度に、オーディオ装置の音質調整機能を使用して音質調整し、その他の入力機器に変更する度に音質調整を戻す事は非常に手間であった。
【課題の解決するための手段】
【０００４】  本発明による音質調整機能付きＦＭトランスミッター（１）は、入力端子（２）と入力された、音楽等をＦＭ電波に変換するＦＭトランスミッター部からなる。又ＦＭトランスミッター部には、音質調整機能付き回路を有する構造であり、音質調整機能は外側から音質切換可能なＳＷ等を有する構造である。その他は図示はしないが一般的なＦＭトランスミッターの機能を有する。
【考案の効果】
【０００５】  本装置は、以上のように構成する為に次のような効果が期待ができる。入力プラグから入力されたデジタルオーディオプレイヤー（４）等の音楽を、ＦＭトランスミッター部（１）に設けられた音質調整機能によりＦＭ電波に変化時に劣化した音質を簡単に良質な音質にする事ができる。またオーディオ装置の音質調整機能を使用せずに良質な音質で音楽を楽しむ事ができる。
【発明を実施するための最良の形態】
【０００６】  本発明は、前記ＦＭトランスミッター部（１）の音声増幅部に音質調整機能を設ける事により、デジタルオーディオプレイヤー（４）等の音楽をＦＭ電波に変換する時に劣化する音質を簡単に良質な音質にする事を目的とする。
【実施例】
【０００７】  以下、図面と共に本発明による音質調整機能付きＦＭトランスミッターの好適な形態について説明する。
図１で示されるように、本装置の内部にはＦＭトランスミッター部（１）と音質調整器（３）が内蔵されている構成である。この音質調整器（３）は高音と低音の強度を変えることができるように構成されており、各種の周知の構成を採用することができる。【０００８】  図１・図２の音質調整部器（３）、音質を調整する為のＳＷを設けたスライドＳＷ型の形状としているが、ＳＷの形状は他の形状の場合もある。【０００９】  前記本体（１）は、前記デジタルオーディオプレイヤー（４）・音楽携帯電話（５）・・ポータブルプレイヤー等音声出力端子を有する機器（６）等の音声出力端子に設置された出力端子（７）に前記入力端子（２）を接続する事により、前記デジタルオーディオプレイヤー（４）・音楽携帯電話（５）・ポータブルプレイヤー等音声出力端子を有する機器（６）等から出力された音楽が、前記本体（１）のＦＭトランスミッター部にてＦＭ波に変換された時にに劣化する音質を調整する事ができる。
前記本体（１）にて、音質調整が可能になるため、デジタルオーディオプレイヤー（４）・音楽携帯電話（５）等の出力装置の音質の状態ごとに、ＦＭラジオ付きオーディオ装置（８）にて音質の劣化を調整する必要性がなくなり、前記本体（１）の音質調整器（３）の音質調整機能により高音質な音楽をＦＭラジオから楽しむ事ができる。
【図面の簡単な説明】
【００１０】
【図１】  本発明による、音質調整機能付きＦＭトランスミッターを示す構成図である。
【図２】  本発明による、音質調整機能部の形態である。
【図１】
2010057151.tif 000003
【図２】
2010057151.tif 000004
(57)【要約】      （修正有）【課題】省エネルギー効果によるＣＯ２削減と光触媒機能によって大気汚染防止の一助となる省エネ型光触媒ＬＥＤ蛍光灯を提供する。【解決手段】ＬＥＤ蛍光灯回路のチョークコイルを調整して適切な整流波形を形成してＬＥＤ蛍光灯を駆動させることが出来た。発光が放電方式でないため、あらゆる点灯方式の器具に装着できる。大気浄化の手法として光触媒を活用した。ＬＥＤ蛍光管保護ケース内側で照明の反対側に二酸化チタン光触媒を塗布する。ケース内に通気孔を形成し、照明用ＬＥＤ装着の反対側基盤にＵＶＬＥＤを数個装着して光触媒塗布面を照射する。温度差によって空気が対流し、有機物を分解除去することが可能である。【選択図】図２
2010034012.tif 000002
【特許請求の範囲】
【請求項１】
平滑回路のコンデンサー無しで、チョークコイルのみでＬＥＤ蛍光管を駆動させること。
【請求項２】
グロー方式、ラピット方式、インバータ方式等の安定器を変更することなしで利用できること。
【請求項３】
光触媒機能を活用して殺菌・脱臭すること。
【発明の詳細な説明】
【技術分野】
【０００１】本発明はＬＥＤ素子をユニット化して形成され、光触媒による殺菌・脱臭機能付蛍光灯
【背景技術】
【０００２】北海道洞爺湖サミットでの最大のテーマは地球温暖化防止と大気汚染防止であった。各国で発生する温室効果ガスが温暖化の最大の原因とされている。そこでわが国は京都議定書の２００２年発効以来、国策として取り組んでいるのが温室効果ガスの削減目標を２００８年〜１２年の期間で６％削減の達成するよう推進してきた。このために１９９８年、省エネルギー法改正において導入されたトップランナー方式に基づいて、蛍光灯器具にも省エネ効果の改善された製品の普及が求められてきた。具体的に政府は地球温暖化防止活動の推進プログラムの中で、蛍光灯に関して「白熱灯を電球形蛍光灯にとりかえる」（地球温暖化対策推進大綱平成１４年３月１９日参照）ことにより、３５４〜４１２万ｔの二酸化炭素削減目標にしている。また、従来の蛍光灯の中に水銀蒸気が入っているため、割れると多量の水銀蒸気が大気中に飛散する。このことはほとんど大気汚染防止には貢献されていない。
そこで、本発明は、省エネルギー効果によるＣＯ２削減と光触媒機能によって大気汚染防止の一助となる省エネ型光触媒ＬＥＤ蛍光灯の開発することを目的としている。
【発明の開示】
【発明を解決しようとする課題】
【０００３】蛍光灯について、産業界も創意工夫して、省エネルギー性能向上に取り組んできた、特に、蛍光管の点灯方式に改善がなされている。例えばグロースターター方式からラピットスタート方式、インバーター方式へと開発が進んできた。しかし、互換性に以下のような欠陥がある。
ラピット方式にグロー方式用蛍光管を１灯で使用しても点灯しないが、２灯式の場合は点灯しますが寿命が短くなる。次に、グロー方式にラピット方式用蛍光管を使用すると、チョークコイルに過電流によりチョークコイルを焼損する可能性がある。５０Ｈｚの地域で６０Ｈｚ用を使用した場合、高い周波数では電流が流れにくいので安定器が加熱する。従って、地域によって安定器を交換しなければならない。次に蛍光灯の寿命の因果関係と輝度劣化の原因について以下に記述する。蛍光灯の電極に塗布されたタングステン酸バリュムの蒸発，飛散等による消耗する。蛍光灯点滅時の負荷により寿命が短くなる。ガラス管内の水銀蒸気とナトリュームと反応して黒くなって輝度が劣化する。半透明の樹脂の中にあるガラス管からの紫外線により樹脂のケースが劣化し、照度が低下する。大気汚染問題として劣化蛍光管内の水銀処理方法が最大の問題である。
【問題を解決するための手段】
【０００４】本発明は従来のガラス管の蛍光管に代わるＬＥＤを光源にしたＬＥＤ蛍光灯である。本発明のＬＥＤ蛍光灯の点灯方式はインバーター方式で、ＡＣ入力電圧８５〜４５０Ｖ内で使用可能である。６個のＬＥＤを並列接続して、３０回路で構成され、１８０ｐｃｓのＬＥＤによって形成させている。電源コントロールを集積回路のＨＬＤ８０６の動作が可能にしている。また、ＬＥＤをインバーターで駆動させる場合の平滑回路は電解コンデンサーＣが不可欠である。そのときの整流波形を図３に示す。この電解コンデンサーの寿命は蛍光灯ユニットとして使用するＬＥＤの寿命より１／４以下である。そのことが、今までのＬＥＤ蛍光灯の最大の欠点であった。本発明はこの電解コンデンサーを使わないことにより、従来のＬＥＤ蛍光灯の４倍寿命長く使用出来るＬＥＤ蛍光灯を開発した。本発明はＬＥＤ蛍光灯回路のチョークコイルを調整して図４のような適切な整流波形を形成してＬＥＤ蛍光灯を駆動させることが出来た。さらに、従来、点灯方式による互換性に欠陥があった。発光が放電方式でないため、あらゆる点灯方式の器具に装着できることが本発明の特長の一つである。大気浄化の手法として光触媒を活用した。ＬＥＤ蛍光管保護ケース内側で照明の反対側に二酸化チタン光触媒を塗布する。ケース内に通気孔を形成し、照明用ＬＥＤ装着の反対側基盤にＵＶＬＥＤを数個装着して光触媒塗布面を照射する。温度差によって空気が対流し、有機物を分解除去することが可能である。
【発明の効果】
【０００５】本発明に係わるＬＥＤ蛍光灯は地球温暖化防止推進プログラムに適切に応えた製品である。一般的に製品の製造から廃棄までの活動一つ一つが温室効果ガスの排出源になっている。本発明製品は製造過程において水銀蒸気を使用していない。有害物を含むコンデンサー類を使用しないなどから先進的省エネルギーＬＥＤは蛍光灯と云える。
【発明を実施するための最良の形態】
【０００６】図１は本発明の一実施形態を示す省エネルギー型光触媒ＬＥＤ蛍光管の投影図である。図２はＬＥＤ駆動回路、図３は図２における整流出力波形、図４は電解コンデンサーＣ無しで、チョークコイルＬを調整した後の整流波形。図１のＡ面側半透明円筒パイプの内側に光触媒を塗布。図１Ａ面側基盤に紫外線ＬＥＤ装着。図１Ｂ面側に照明用ＬＥＤ装着。
図２の入力側にＡＣ入力電圧が接続し、図２の出力側に図１のＬＥＤ蛍光管を接続する。
【産業上の利用可能】
【０００７】超高層ビル、地下鉄、上下水道、ＪＲ、小学校、中学校、高校、公共施設。
【図面の簡単な説明】
【０００８】
【図１】省エネルギー型光触媒ＬＥＤ蛍光管
【図１Ａ】紫外線ＬＥＤ装着面
【図１Ｂ】照明用ＬＥＤ装着面
【図２】ＬＥＤ駆動回路
【図３】ＬＥＤ駆動回路の整流出力波形
【図４】チョークコイルＬを調整した後の整流波形
【図１】
2010034012.tif 000003
【図２】
2010034012.tif 000004
【図３】
2010034012.tif 000005
【図４】
2010034012.tif 000006
【手続補正書】
【提出日】平成20年9月19日(2008.9.19)
【手続補正２】
【補正対象書類名】明細書
【補正対象項目名】０００８
【補正方法】変更
【補正の内容】
【０００８】
【図１】省エネルギー型光触媒ＬＥＤ蛍光管
【図２】ＬＥＤ駆動回路
【図３】ＬＥＤ駆動回路の整流出力波形
【図４】チョークコイルＬを調整した後の整流波形
(57)【要約】      （修正有）【課題】アッシング及びクリーニング時における処理均一性と処理スピードを改善向上させるプラズマ処理装置を提供する。【解決手段】二周波電力同時供給バッチ式プラズマ処理装置は減圧反応容器１１を備える。被処理物を置くテーブル部を兼ねた第一電極１２が設置され周波数１３．５６ＭＨｚの発振器１３からインピーダンス整合器１４を介して高周波電力が供給される。更に第二電極１５には整合トランス１６を介して４０ＫＨｚの発振器１７から低周波電力が同時に供給される。反応ガスは第二電極１５へシャワー状に中空孔加工されたガス噴出口２２から導入され、高周波電力と低周波電力の結合により発生した高密度で高エネルギーなプラズマ中の荷電粒子が被処理物を囲む第二電極間１５で左右交互に加速且つ揺り動かされる。【選択図】図１
2010034014.tif 000002
【特許請求の範囲】
【請求項１】
減圧反応容器中に異なる帯域の周波数を持つ電力を同時に供給し被処理物のエッチング、アッシング、クリーニング等を効率よく行うことを特徴とするプラズマ処理装置。
【請求項２】
一対の電極に印加される電力の周波数は１０ＫＨｚから１００ＫＨｚ、他方の電極に印加される周波数は１ＭＨｚから１００ＭＨｚの帯域である請求項１のプラズマ処理装置。
【請求項３】
前記周波数１０ＫＨｚから１００ＫＨｚ帯域の電極には整合トランスを介してプッシュプル増幅回路を用いた電力を供給する請求項１のプラズマ処理装置。
【請求項４】
前記周波数１０ＫＨｚから１００ＫＨｚ帯域の電力を供給する１対の電極には反応ガス供給口をシャワー形状に多数設けることを特徴とする請求項１のプラズマ処理装置。
【請求項５】
前記周波数１０ＫＨｚから１００ＫＨｚ帯域の電力を供給する１対の電極の反応ガス噴出口は中空孔加工を施す。
【請求項６】
前記中空孔加工のサイズは径１ｍｍ以上、深さ１ｍｍ以上とし且つ中空孔の各間隔も１ｍｍ以上とする。
【発明の詳細な説明】
【技術分野】
【０００１】本発明は半導体や液晶デバイス及び広くエレクトロニクスデバイスの製造プロセスで用いられるプラズマ処理装置に関するものである。
【背景技術】
【０００２】
【非特許文献１】特願２００２−３３２８８９
【非特許文献２】特願２００２−３７３２４５
【発明の開示】
【発明が解決しようとする課題】
【０００３】従来、平行平板型電極を１対備えるバッチ式減圧反応容器内部に一周波数帯域（主に１３．５６ＭＨｚ）の高周波電力を発生させ被処理物を一括処理していたが単品処理する枚葉式と比べ性能上均一性が劣っていた。そこで均一性と処理時間の飛躍的向上を同時に実現するためのプラズマ処理装置を提供する。
【課題を解決するための手段】
【０００４】減圧反応容器内に異なる帯域の周波数を持つ電力を同時に供給するため平行平板電極を２対設ける。被処理物を置くテーブル部は放電電極を兼ね１ＭＨｚ以上の第一電源から整合回路を介して電力供給される。更に最適な距離を置いて被処理物の両側に１０ＫＨｚから１００ＫＨｚ位までの周波数帯域でプッシュプル増幅回路を用いた第二電源が整合トランスを介して電力供給される。反応ガスは第二電極からシャワー形状に中空孔開け加工された噴出口から導入され発生した高密度で高エネルギーなプラズマ中の荷電粒子を電極間で左右交互に加速し且つ揺り動かすことにより被処理物の全面を均一に、特に隙間が狭い治具等に収納された通常はプラズマが入り難い長もの等のセンター部分も均一にプラズマ処理することを可能にした。
【発明の効果】
【０００５】従来のバッチ式プラズマ処理装置に比べ、処理均一性と処理時間の飛躍的な改善と向上を実現した。
【発明を実施するための最良の形態】
【０００６】以下、本発明の最良な一実施形態について図面を参照しながら説明する。
【実施例】
【０００７】本発明の二周波電力同時供給バッチ式プラズマ処理装置は減圧反応容器１１を備えその材質はアルミ、ステンレスを一般的に使用する。減圧反応容器１１は筐体にアースされその内部は被処理物を置くテーブル部を兼ねた第一電極１２が設置され周波数１３．５６ＭＨｚ最大出力１ＫＷの発振器１３からインピーダンス整合器１４を介して高周波電力が供給される。更に第二電極１５には整合トランス１６を介して４０ＫＨｚ最大出力２ＫＷの発振器１７から低周波電力が同時に供給される。反応ガスは第二電極１５へシャワー状に中空孔加工されたガス噴出口２２から導入され、高周波電力と低周波電力の結合により発生した高密度で高エネルギーなプラズマ中の荷電粒子が被処理物を囲む第二電極間１５で左右交互に加速且つ揺り動かされることにより従来不均一不完全であった処理が飛躍的に改善向上した。尚、使用する反応ガスは一般的に酸素、アルゴン、窒素、ヘリウム等である。また、排気口１８は減圧反応容器１１の左右両側に設けてあり真空ポンプ１９に配管されている。被処理物はマガジン挿入プリント基板２０や石英ボート挿入ウエハー２１等が主な対象となるが本発明の応用が可能な処理であれば用途を選ばない。
次に本プラズマ処理装置の一連処理プロセスを説明する。まずスタート信号がオンされると真空引きが開始し減圧反応容器の内部が所定の真空度になると反応ガスが導入され一定の時間を置いて（通常１０秒から６０秒）１３．５６ＭＨｚの高周波電力と４０ＫＨｚの低周波電力が同時に供給されプラズマ放電が始まる。その後予めレシピ設定された処理時間経過後改めて所定の真空度まで到達した時点でパージに移り大気圧に戻ったところで終了ブザーが鳴り一巡処理が終了する。
【図面の簡単な説明】
【０００８】
【図１】本発明のプラズマ処理装置の減圧反応容器内部を示す概略断面図である。
【図２】本発明による第二電極を概略的に示す平面図である。
【符号の説明】
【０００９】１１減圧反応容器、１２第一電極（テーブル部）、１３インピーダンス整合器、４発振器１３．５６ＭＨｚ、１５第二電極、１６整合トランス、１７発振器４０ＫＨｚ、１８排気口、１９真空ポンプ、２０被処理物（マガジン挿入プリント基板）、２１被処理物（石英ボート挿入シリコンウエハー）、２２中空孔加工ガス噴出口。
【図１】
2010034014.tif 000003
【図２】
2010034014.tif 000004
(57)【要約】【課題】エネルギー不足を補うこと。【解決手段】太陽３からくる光を鏡２で反射して、地球１の夜側の方に当てる。その光をパイプのようなもので各家までひっぱって利用する。昼は各家で太陽からの直接の光で蛍光灯が光るようにする。雨や曇りの日には、雲のすき間があれば、夜と同じようにする。【選択図】図１
2010086937.tif 000002
【特許請求の範囲】
【請求項１】
光から紫外線を集めてその紫外線を蛍光灯に使う。
【請求項２】
光を畜光材に集めて蓄わえて光らせる。
【請求項３】
太陽からの光を家の電灯までもってきて、何らかの物質で四方八方に光をとばす。
【請求項４】
夜にある国から光ファイバーのようなものでもう一つの国へと光を輸送してそのまま使ったり、紫外線のみ使ったりする。
【請求項５】
鏡２を地球１の夜側のほうにおいて、太陽３からの光を反射して、その光をそのまま家までひっぱるか、もしくは紫外線のみとりだして家で使用する。
【請求項６】
鏡２で反射した太陽３からの光を紫外線だけとりだして使用する。
【請求項７】
鏡２で反射した太陽３からの光を電灯として利用する。
【請求項８】
太陽３からの直接の光を紫外線だけとりだして、もしくは光のまま電灯として使用する。
【発明の詳細な説明】
【産業上の利用分野】
【０００１】  この発明は蛍光灯に使う紫外線を光から集めることに関するものである。
【背景技術】
【０００２】  どんなものがあったのか知らないです。
【発明が解決しようとする課題】
【０００３】  これは、次のような欠点があった。
○エネルギー不足
本発明はこの欠点を除くためになされたものである。
【問題を解決するための手段】
【０００４】  蛍光灯に使う紫外線を光から集める。
本発明は以上のような構成よりなるエネルギー不足を補うことを目的とした装置である。
【作用】
【０００５】  光からくる紫外線を使うことによって、蛍光灯を光らせることができる。
【実施例】
【０００６】  以下、本発明の実施例について説明する。
光から紫外線を集めて蛍光灯を光らせる。
【発明の効果】
【０００７】  本発明は以上のような構造で、これを使用するときは、光から紫外線を集めて、その紫外線で蛍光灯を光らせる。それによってエネルギー不足を補うことができる。
【図面の簡単な説明】
【図１】地球の上面図である。
【符号の説明】
１地球  ２鏡  ３太陽
＜使用するにあたって＞
まず、この発明と前回の発明との違いは、具体的な使用方法を提示することにあります。光の使用方法として、考えたのは、海を越えての光の利用でした。光を地球の裏側の方までもっていこうというものでしたが、その輸送システムを作るのにエネルギーがかかりすぎるので、おそらく無理と思われます。また、個人個人の家へ光を鏡で送るのも、大変そうなのではないかと思います。なので、人が密集しているところなら、輸送のシステムを作るのにそれほどエネルギーも使わないと思います。疑問がある点としては、昼に各家庭で太陽の光から電灯をつけられるかどうかです。もし無理なら、人が密集しているところにつくるシステムを、昼も夜も利用することになるでしょう。もし無利でないなら、ぼくにはどうしたらいいか分からないです。
【図１】
2010086937.tif 000003
(57)【要約】【課題】全ての機械から発信される信号（ＯＮ／ＯＦＦされた日時と継続時間及び状態が変更された回数と累計時間）を従来のものよりも大幅に記録できかつ小型化した履歴記憶装置を提供する。【解決手段】  基板と組み込みソフトを組み合わせ小型化し、情報はＵＳＢメモリー（記憶媒体）で簡単に抜き取ることができ画面表示もあわせて簡単にすることを特徴とする。【選択図】図１
2010146540.tif 000002
【特許請求の範囲】
【請求項１】
全ての機械の内部で、発信される情報（信号のＯＮ／ＯＦＦされた日時と継続時間及び状態が変更された回数と累計時間）を記憶する装置
【発明の詳細な説明】
【技術分野】
【０００１】この発明は、全ての機械の内部で、発信された情報（信号がＯＮ／ＯＦＦされた日時と継続時間及び状態が変更された回数の累計時間）を記憶する装置
【背景技術】
【０００２】従来、信号の履歴を記録する装置は、大型機械にしか内蔵されていなかった。
【発明の開示】
【発明が解決しようとする課題】
【０００３】これは、次のような欠点があった。装置自体が大きく取付けできる機械が限定されていた。またチャンネル数が少なくその情報量や利用目的も限定されていた。
【課題を解決するための手段】
【０００４】基板と組み込みソフトを組み合わせ小型化し、情報はＵＳＢメモリー（記憶媒体）で簡単に抜き取ることができ画面表示もあわせて簡単にすることができた。
【発明の効果】
【０００５】小型化することによりあらゆる機械に取り付けが可能になり、情報量（２チャンネルから８チャンネル）も大幅に改善できた。
【発明を実施するための最良の形態】
【０００６】履歴記憶器と信号発信する接続機器をコネクターケーブルで接続して情報を入力する。
記憶媒体を利用してその情報（最大８チャンネル分の信号：履歴記録）を外部パソコン等の画面に表示して活用する。
【図面の簡単な説明】
【０００７】
【図１】  本発明の斜視図である。
【符号の説明】
【０００８】▲１▼  本体
▲２▼  接続ケーブル
▲３▼  記憶媒体取入口
▲４▼  記憶媒体スイッチ口
【図１】
2010146540.tif 000003
(57)【要約】【課題】  従来の地図では、公衆が利用可能なトイレの位置情報を知りたいと思っても、公衆トイレ以外の、公衆が出入り可能な施設内にあり公衆が利用可能なトイレの位置情報を知ることはできなかった。  本発明は、公衆トイレにかぎらず公衆が利用可能なトイレの位置情報を表示したトイレ用地図を提供する。【解決手段】  公衆が出入り可能な施設内にあり、公衆が利用可能なトイレの位置情報を地図上に表示する。【選択図】図１
2010072611.tif 000002
【特許請求の範囲】
【請求項１】
公衆が出入り可能な施設内にあり、公衆が利用可能なトイレの位置情報を地図上に表示したトイレ用地図。
【発明の詳細な説明】
【技術分野】
【０００１】  本発明は、公衆が利用可能なトイレの位置情報を表示した地図に関するものである。
【背景技術】
【０００２】  従来は、公衆トイレの位置情報を地図上に表示していた。
【発明の開示】
【発明が解決しようとする課題】
【０００３】  従来の地図では、公衆が利用可能なトイレの位置情報を知りたいと思っても、公衆トイレ以外の、公衆が出入り可能な施設内にあり公衆が利用可能なトイレの位置情報を知ることはできなかった。
本発明は、以上の問題点を解決するためのものである。
【課題を解決するための手段】
【０００４】  公衆が出入り可能な施設内にあり、公衆が利用可能なトイレの位置情報を地図上に表示する。
以上の構成よりなるトイレ用地図。
【発明の効果】
【０００５】  従来不可能だった、公衆トイレ以外に公衆が利用可能なトイレの位置情報を本発明により知ることができる。
【発明を実施するための最良の形態】
【０００６】  以下、本発明の実施の形態を説明する。
公衆が出入り可能な施設内にあり、公衆が利用可能なトイレの位置をあらわす絵、図、写真、文字の配列といった情報（１）を地図（２）上の該当する場所に表示する。
本発明は以上のような構造である。
本発明を使用するときは、必要なトイレに関する情報（１）を地図（２）上で確認するようにする。
【図面の簡単な説明】
【０００７】
【図１】本発明の斜視図
【符号の説明】
【０００８】（１）情報、（２）地図
【図１】
2010072611.tif 000003
(57)【要約】【課題】外部音源による音階付加機能を組み込む事で、高度な技能を用いずにテルミン等の古典電子楽器特有のポルタメントやハーモニック奏法を駆使可能な安価な電子楽器を実現する。【解決手段】ＭＩＤＩ音源や外部音源インターフェイスとテルミン等、古典電子楽器をボコーダーに一体化する。電子楽器出力をボコーダーのボイス入力へ、ＭＩＤＩ音源や外部音源出力をボコーダーのキャリア入力へ接続する事で古典電子楽器特有の音調を維持しながら任意の旋律演奏を実時間で実現する。【選択図】図１
2010072607.tif 000002
【特許請求の範囲】
【請求項１】
テルミン回路出力をボコーダー回路へ入力する事によって旋律演奏を実現する事、およびボコーダー特有の位相変調音を軽減する目的で用いるテルミン出力ボコーダー出力混合切り替え手段を有する一体化された電子楽器。
【請求項２】
請求項１をディジタル信号処理（ＤＳＰ）によって実現するバイナリーコードを含むソフトウェアおよび媒体。
【発明の詳細な説明】
【技術分野】
【０００１】本発明はテルミン等、旋律演奏が困難な電子楽器において、その個性を失うことなく任意の音階を発音し旋律演奏を実現する回路構成に関わるものである。
【背景技術】
【０００２】近年、その独特な音調からテルミン等の古典電子楽器が多用されている。しかしこれらの古典楽器では一部の熟練者を除き旋律演奏が非常に困難である。【０００３】テルミン等の古典電子楽器特有の音質を維持しながら正確な音階を得る為にはディジタル・サンプラーに音源として取り込んだ後、ＭＩＤＩ演奏する手法が一般に用いられるが、ＭＩＤＩでの演奏ではアンテナを用いた演奏特有のポルタメントや広範囲な無段階グリッサンドを即興演奏する事が不可能である。【０００４】この様にテルミン等の古典電子楽器においてはアンテナに手をかざして演奏する独特のスタイル維持が重要であり、この演奏スタイルを維持する限り容易な音階演奏は困難となる。【０００５】特許文献１はアンテナ部から取り込んだ演奏データに応じて複数のＭＩＤＩ音源を制御しようとするもの、特許文献２は発振器のチューニング・ドリフトを電子的に補正しようとするもの、特許文献３は演奏用アンテナ出力をカメラからの映像出力に置き換えたものであるが、いずれの方式においても固有の音質を生かした旋律演奏を実時間で行う事は非常に困難である。
【特許文献１】  特開２００３−２２８３７０
【特許文献２】  特開２００４−８６１１８
【特許文献３】  特開２００５−３７７５８
【発明の開示】
【発明が解決しようとする課題】
【０００６】本発明の目的はテルミン等、古典電子楽器固有の音調を有し演奏者がポルタメントやハーモニック奏法、広範囲な無段階グリッサンドを駆使しながら旋律の実時間演奏が可能な電子楽器を安価に提供する事である。
【課題を解決するための手段】
【０００７】ＭＩＤＩ音源や外部音源インターフェイスとテルミン等、古典電子楽器をボコーダーに一体化する。電子楽器出力をボコーダーのボイス入力へ、ＭＩＤＩ音源や外部音源出力をボコ−ダーのキャリア入力へ接続する事で古典電子楽器特有の音調を維持しながら任意の旋律演奏を実時間で実現する。
【発明の効果】
【０００８】この発明によればステージ上でパフォーマンス的に音調操作を行い極端なポルタメントやグリッサンドを行っても設定された旋律演奏が可能であり、音楽や電子楽器に関した知識を要せずに電子楽器演奏を楽しむ事が可能になる。
【発明を実施するための最良の形態】
【０００９】安価な電子楽器とする為にＭＩＤＩ音源は旋律を付加する目的のみに用いる物とし、１チップマイコンとモバイル機器用の音源ＩＣで構成される事が望ましい。ボコーダー回路はテルミンの音域に旋律を付加する目的から５バンドは必要で、アナログ回路では小型化が困難な為、コーデックＩＣと汎用ＤＳＰでの実現が望ましい、テレミン回路はＣＭＯＳロジックを用いたものが最も安価であるが、最終的な音質を決定する事から用途に応じて各種回路を検討する事が望ましい。
【実施例】
【００１０】図１は最も安価な実施例である、テレミン回路（１）、ＭＩＤＩ音源（２）、ボコーダー回路（３）、テルミン出力ボコーダー出力混合切り替え手段（４）により構成する。
ボコーダーを通過したテルミン出力ではボコーダー特有の位相変調が加わる場合がある為、テレミン回路の原音混合や、原音とボコーダー出力を任意に切り替える構成とし位相変調による違和感を軽減した。演奏用モニター出力は演奏者がＭＩＤＩ音をモニターしながら演奏する事で演奏する旋律上により効果的な表現を加える為に用いるものである。【００１１】図２ではＭＩＤＩ音源部に外部音源インターフェイスを増設している。ＭＩＤＩ音源では演奏者がＭＩＤＩコントローラーを操作しなければ即興演奏が困難な為、音声等の任意音源により旋律を与え即興演奏時の旋律変更を実現した。
【図面の簡単な説明】
【００１２】
【図１】音源にテルミンを用いた実施例１である。
【図２】音源にテルミンを用いた実施例２である。
【符号の説明】
【００１３】１            テルミンを音源とする電子楽器回路のブロック図表記
２            ＭＩＤＩ制御可能な電子楽器音源のブロック図表記
３            ボコーダー回路のブロック図表記
４            テルミン出力ボコーダー出力混合／切り替え手段のブロック図表記
５            ＭＩＤＩ音源出力外部音源出力混合／切り替え手段のブロック図表記
【図１】
2010072607.tif 000003
【図２】
2010072607.tif 000004
(57)【要約】      （修正有）【課題】ズームレンズの前枠に取付けていたフィルターの交換を、ズームレンズのアフォカール部に数枚のフィルター枠を装着することでフィルターの交換を容易にする。【解決手段】ズームレンズのアフォーカル部にフィルター枠Ａ（１）とフィルター枠Ｂ（２）を設けた。フィルター枠Ａ（１）とフィルター枠Ｂ（２）に、支点ピン（１２）と駆動ピン（１１）を設け、駆動ピン（１１）に連動するアームＡ（３）とアームＢ（４）で、フィルター枠Ａ（１）とフィルター枠Ｂ（２）を回転可動にした。アームＡ（３）とアームＢ（４）の端面にアームＡ（３）とアームＢ（４）の移動量を制御するカムＡ（５）とカムＢ（６）を取付け、これに回転軸（９）を取付け回転制御板（７）とフォトセンサー（８）で、フィルター枠Ａ（１）とフィルター枠Ｂ（２）の回転角度を制御する。回転軸（９）の動力として回転軸（９）の端面にＤＣモーター（１０）を取付ける。【選択図】図１
2010072608.tif 000002
【特許請求の範囲】
【請求項１】
ズームレンズのアフォーカル部に、フィルター枠Ａ（１）とフィルター枠Ｂ（２）を設けた、フィルター組換え装置。
【請求項２】
フィルター枠Ａ（１）とフィルター枠Ｂ（２）の各々に、支点ピン（１２）と駆動ピン（１１）を設け、この駆動ピン（１１）に連動するアームＡ（３）とアームＢ（４）で、フィルター枠Ａ（１）とフィルター枠Ｂ（２）の各々を可動可能にしたフィルター組換え装置。
【請求項３】
アームＡ（３）とアームＢ（４）の各々の端面にアームＡ（３）とアームＢ（４）の移動量を回転で制御するカムＡ（５）とカムＢ（６）を取付けたフィルター組換え装置。
【発明の詳細な説明】
【技術分野】
【０００１】ズームレンズのアフォーカル部に複数のフィルター枠を内蔵したフィルター組換え装置に関するものである。
【背景技術】
【０００２】従来、レンズの前部にネジ式、あるいはかぶせ式でフィルターを取付けていた。
【発明の開示】
【発明が解決しようとする課題】
【０００３】これは、次のような欠点があった。近年のズームレンズは、高倍率長焦点化で、且つレンズ機構は自動化にある中、フィルターの交換のみ自動化が遅れ、近年特に自動化の要望が高まっている。
【課題を解決するための手段】
【０００４】ズームレンズのアフォーカル部にフィルター枠Ａ（１）とフィルター枠Ｂ（２）を設ける。本発明は以上の構成よりなるフィルター組換え装置である。
【発明の効果】
【０００５】従来、レンズの前部にネジ式、あるいはかぶせ式でフィルターの交換組合せ行っていた。
本発明により、ズームレンズのアフォーカル部に本発明のフィルター組換え装着を装着することで、レンズ前部のフィルター組合せが不用になり、且つフィルターの組換えが自動を可能にした。
【発明を実施するための最良の形態】
【０００６】以下、本発明の実施をするための最良の形態について説明する。
ズームレンズのアフォーカル部にフィルター枠Ａ（１）とフィルター枠Ｂ（２）を設けた、フィルター枠Ａ（１）とフィルター枠Ｂ（２）の各々に、支点ピン（１２）と駆動ピン（１１）を設け、この駆動ピン（１１）に連動するアームＡ（３）とアームＢ（４）で、フィルター枠Ａ（１）とフィルター枠Ｂ（２）を各々回転可動にした。またアームＡ（３）とアームＢ（４）の各々の端面に移動量を回転で制御するカムＡ（５）とカムＢ（６）アームＡ（３）とアームＢ（４）取付け、常にカムＡ（５）とカムＢ（５）はバネ（１４）でアームＡ（３）とアームＢ（４）が接触している。カムＡ（５）とカムＢ（６）に回転軸（９）を取付け回転制御版（７）とフォトセンサー（８）の組合せで、フィルターＡ（１）とフィルター枠Ｂ（２）の回転角度を制御し、フィルターの組合せを行う。回転軸（９）の動力として回転軸（９）の端面にＤＣモーター（１０）を取付ける。図２図３図４図５はフィルターＡ（１）とフィルター枠Ｂ（２）の動きを表記した図である。本発明は以上の構成からなるフィルター組換え装置である
【図面の簡単な説明】
【０００７】
【図１】  本発明の分解斜視図である。
【図２】  本発明の斜視図である。
【図３】  本発明の斜視図である。
【図４】  本発明の斜視図である。
【図５】  本発明の斜視図である
【符号の説明】
【０００８】１    フィルター枠Ａ
２    フィルター枠Ｂ
３    アームＡ
４    アームＢ
５    カムＡ
６    カムＢ
７    回転制御板
８    フォトセンサー
９    回転軸
１０  ＤＣモター
１１  駆動ピン
１２  支点ピン
１３  バネ軸ピン
１４  バネ
１５  アームガイドビス
１６  バネ掛ピン
１７  フィルター枠Ａ取付板
１９  フィルター枠Ｂ取付板
２０  モター取付板
【手続補正書】
【提出日】平成21年2月17日(2009.2.17)
【手続補正１】
【補正対象書類名】図面
【補正対象項目名】全図
【補正方法】変更
【補正の内容】
【図１】
2010072608.tif 000003
【図２】
2010072608.tif 000004
【図３】
2010072608.tif 000005
【図４】
2010072608.tif 000006
【図５】
2010072608.tif 000007